(57)【要約】【課題】厳重な断熱設備、予備の放熱器や熱放射装置等必要とせずに、サウナ室の温度を一定に維持することができるサウナ用熱源供給装置を得ることにある。【解決手段】加熱炉（３１）、加熱炉（３１）内に延びる一端とサウナ室（４２）内部に延びる他端とをもつレール、レールを走行する蓄熱体（２３，２７）を搭載した複数の台車（２１，２５）及び台車を切り換えるトラバーサ機構を備えている。トラバーサ機構は、例えば、レールの一部を切り取ることによって形成された第一の可動レール（１２）、第一の可動レールと平行配置された第二の可動レール（１３）、これらの可動レールを担持しかついずれかを択一的にレールに接続するように平行移動する移動台（１４）からなり、移動台を動かすことでサウナ室からの台車を待避させ、加熱炉からの台車をサウナ室内部に向かわせたあと、待避させた台車を加熱炉に向かわせている。【選択図】図１
2006006621.tif 000002
【特許請求の範囲】
【請求項１】
加熱炉と、前記加熱炉の内部に延びる一端とサウナ室の内部に延びる他端とをもつレールと、前記レールを走行する蓄熱体を搭載する複数の台車と、台車を切り換えるトラバーサ機構とを備え、
前記トラバーサ機構が、前記サウナ室からの前記台車を待避させ、前記加熱炉からの前記台車を前記サウナ室の内部に向かわせたあと、待避させた前記台車を前記加熱炉に向かわせていること、を特徴とするサウナ用熱源供給装置。
【請求項２】
前記トラバーサ機構が、前記レールの一部を切り取ることで形成された第一の可動レールと、前記第一の可動レールと平行に配置された第二の可動レールと、これらの可動レールを担持し、かついずれかを択一的に前記レールに接続する移動台とからなることを特徴としている請求項１に記載のサウナ用熱源供給装置。
【請求項３】
前記蓄熱体がジルコンを含有する麦飯石からなる請求項１又は請求項２に記載のサウナ用熱源供給装置。
【発明の詳細な説明】
【技術分野】
【０００１】
この発明は、サウナ用熱源供給装置にかかわり、さらに詳しくは、麦飯石を熱源とするサウナ用熱源供給装置に関している。
【背景技術】
【０００２】
サウナ用熱源として、電気炉等で加熱した麦飯石を使用することは、すでに知られている。この熱源を用いた熱源供給装置では、通常、レールをサウナ室と加熱炉との間に敷設し、麦飯石を積んだ台車をレールに載せ、加熱炉に入れてここで加熱してからサウナ室に入れ、所定時間経過したら加熱炉で再加熱して、サウナ室に戻すようにしている。
【０００３】
しかしながら、このようなサウナ用熱源供給装置では、加熱炉によって麦飯石を加熱している時間、サウナ室の温度が低下するため、厳重な断熱設備をサウナ室に組み込まなければならず、ときには予備の対流放熱器や熱放射装置を必要とする。
【発明の開示】
【発明が解決しようとする課題】
【０００４】
本発明の目的は、厳重な断熱設備、予備の放熱器や熱放射装置等必要とせずに、サウナ室の温度を一定に維持することができるサウナ用熱源供給装置を得ることにある。
【課題を解決するための手段】
【０００５】
上記目的を達成するために、請求項１の発明は、加熱炉と、加熱炉の内部に延びる一端とサウナ室の内部に延びる他端とをもつレールと、レールを走行する蓄熱体を搭載する複数の台車と、台車を切り換えるトラバーサ機構とを備え、トラバーサ機構が、サウナ室からの台車を待避させ、加熱炉からの台車をサウナ室の内部に向かわせたあと、待避させた台車を前記加熱炉に向かわせていること、を特徴としているサウナ用熱源供給装置である。
【０００６】
請求項２の発明は、請求項１に記載のサウナ用熱源供給装置において、トラバーサ機構が、レールの一部を切り取ることで形成された第一の可動レールと、第一の可動レールと平行に配置された第二の可動レールと、これらの可動レールを担持し、かついずれかを択一的に前記レールに接続する移動台とからなることを特徴としている。
【０００７】
請求項３の発明は、請求項１又は請求項２に記載のサウナ用熱源供給装置において、蓄熱体がジルコンを含有する麦飯石からなることを特徴としている。
【発明の効果】
【０００８】
請求項１の発明によるサウナ用熱源供給装置は、加熱炉と、加熱炉の内部に延びる一端とサウナ室の内部に延びる他端とをもつレールと、レールを走行する蓄熱体を搭載する複数の台車と、台車を切り換えるトラバーサ機構とを備え、トラバーサ機構が、サウナ室からの台車を待避させ、加熱炉からの台車をサウナ室の内部に向かわせたあと、待避させた台車を前記加熱炉に向かわせているため、麦飯石を交互に使用することができ、予備の熱放射器や熱放射源、高価な断熱設備の工事なしに、サウナ室の温度を一定に維持することができる。
【０００９】
請求項２の発明によるサウナ用熱源供給装置は、トラバーサ機構が、レールの一部を切り取ることで形成された第一の可動レールと、第一の可動レールと平行に配置された第二の可動レールと、これらの可動レールを担持し、かついずれかを択一的に前記レールに接続する移動台とからなり、移動台を動かすことで、一方の台車の待避と他方の台車の走行を行えるようにしているため、請求項１の発明の作用効果に加えて、トラバーサ機構や台車の搬入、設置工事、点検作業等が簡単になり、イニシャル及びランニングコストを低減させることができるという効果を得られる。
【００１０】
請求項３の発明は、請求項１又は請求項２に記載のサウナ用熱源供給装置において、蓄熱体がジルコンを含有する麦飯石からなり、アルファ線や遠赤外線を放射するため、請求項１又は請求項２の効果に加えて、エネルギー消費を少なくすることができる。
【発明を実施するための最良の形態】
【００１１】
以下、図面を参照して、本発明のサウナ用熱源供給装置の実施例を説明する。
【実施例】
【００１２】
このサウナ用熱源供給装置は、図１に示すように、レール１１，１２及び熱源となる蓄熱体を搭載する台車２１，２５を備えている。レールは、一端が加熱炉３１の内部に延び、他端がサウナ室の内部に延びている。トラバーサ機構が、加熱炉３１とサウナ室との間に位置してレールの一部に配置され、サウナ室からの台車２５を待避させ、加熱炉３１からの台車２１をサウナ室の内部に向かわせたあと、待避させた台車２５を加熱炉３１に向かわせている。詳しく説明する。
【００１３】
トラバーサ機構はレールの一部を切り取ることで形成された可動レール１２を含んでいる。可動レール１２は移動台１４に設置されている。移動台１４には、可動レール１２と平行に、第二の可動レール１３が敷設されている。第一の可動レール１２及び第二の可動レール１３は、図１に矢印Ａで示すように、移動台１４が固定レール１１と直交する方向に直線移動することで、交互に固定レール１１に接続することができる。台走行レール１５は、可動レール１２，１３と直交して配置されていると共に、凹溝Ｗに敷設されている。移動台１４は、図示されていないが、台走行レール１５に対する車輪を備え、台走行レール１５に沿って直線移動することができる。移動は例えば動力シリンダによってなされている。
【００１４】
台車２１は荷台２２を備えている。荷台２２は上部荷台２２ａと下部荷台２２ｂとからなっている。これらは、例えば、板材や形材等の溶接組立構造物からなっている。上部荷台２２ａは下部荷台２２ｂよりも平面面積が小さく、下部荷台２２ｂのまわりに隙間を備えている。車輪２４は車軸を下部荷台２２ｂにある軸受に保持されている。電動機が下部荷台２２ｂの下部に設置され、適当する伝動機構を介して車軸につながれている。もう一台の台車２５も上部荷台２６ａ及び下部荷台２６ｂからなる荷台２６を備えている。車輪２８が車軸を下部荷台２６ｂにある軸受に保持され、車軸は下部荷台２６ｂに設置された電動機に伝動機構を介してつながれている。
【００１５】
ブロック又はレンガ状を形態をなす蓄熱体２３，２７が各々の台車２１，２５の上部荷台２２ａ，２６ａに搭載されている。蓄熱体２３，２７は麦飯石からなっている。この麦飯石２３，１７は、鉱粒が麦粒に似た花崗はん岩からなっているが、ジルコンを多量に含有する、α線や遠赤外線を多量に放射するものからなっている。
【００１６】
加熱炉３１は電気炉からなっている。炉本体３２の一端には開閉扉３３が設けられている。炉本体３２の内部及び開閉扉３３の内面は、図２に示すように、耐火レンガからなる断熱層３４によって覆われている。固定レール１１はこの加熱炉３１の内部に敷設されており、台車２１，２５は加熱炉３１の内部に走行することができる。炉本体３２の内側面に位置する断熱層３４は突出部３５を備え、台車２１，２５が加熱炉３１の内部に走行したときに、突出部３５が台車２１，２３の上部荷台２２ａの側面に接触して、下部荷台２２ｂの下部をシールし、ここにある電動機や伝動機構等を熱保護している。
【００１７】
このサウナ用熱源供給装置は、例えば図３に示すようにして、サウナに設置される。このサウナは炉室４１、サウナ室４２、冷気サウナ室４３、休憩室４４等を備えている。本発明によるサウナ用熱源供給装置は、炉室４１とサウナ室４２とに配置される。
【００１８】
加熱炉３１は開閉扉３３をサウナ室４２に向けて炉室４１の内部に設置されている。可動レール１２，１３をもつトラバーサ機構はサウナ室４２における炉室直前に配置され、固定レール１１はトラバーサ機構の前後に位置してサウナ室４２および加熱炉３１の内部に配置されている。移動台１４は、可動レール１２，１３及び動力シリンダと一緒に、サウナ室４２に設けた凹部４５に配置されている。凹部４５の深さは台車２１，２５の荷台表面にほぼ一致している。防護柵４６がこの凹部４５の周りに配置され、入浴者が麦飯石２３に直接触れるのを防止している。
【００１９】
台車２１は、サウナ室４２にあって、これに搭載された麦飯石２３がサウナ室４２を昇温させている。台車２５は、加熱炉３１の内部にあり、麦飯石２７を加熱されている。
【００２０】
台車２１は、麦飯石２３がある時間放熱すると、炉室４１に向かって自走し、第一の可動レール１２の上で停止する。停止すると、移動台１４が図３において右方向に平行移動し、台車２１を待避させ、第二の可動レール１３が固定レール１１に一致する。一致すると、加熱炉１４の内部にある台車２５が第二の可動レール１３及び固定レール１１を通ってサウナ室４２に移動し、サウナ室４２に対する新たな放熱器となる。台車２１がサウナ室内の定位置に止まると、移動台１４が元の位置にもどって、第一の可動レール１２が固定レール１１に一致し、一致したところで、台車２１が加熱炉３１に向かって移動する、台車２１が加熱炉３１の内部に入りかつ止まると、開閉扉３３が閉じ、加熱を開始する。これらを繰り返すことによって、加熱された麦飯石２７と放熱の終わった麦飯石２３とが交互に入れ換えられ、サウナ室４２の温度を一定に維持する。
【００２１】
図２に示すようなサウナ室４２に本発明による熱源供給装置を設置し、サウナ室４２の空気温度を測定し、更に、利用者が床に寝転んで熱浴するので、床の表面温度を測定した。
【００２２】
サウナ室４２は広さ１６５平方メートル（約５０坪）であり、壁、床及び天井は社団法人サウナ協会のサウナ設備設置基準にしたがって仕上げられている。
【００２３】
温度測定は、測定精度が±０．５℃のデジタル温度計であり、図２に丸数字で示す位置に設定した。加熱炉１４は１８０ｋＷの電気炉である。麦飯石２３及び麦飯石２５は、設定温度５００℃で３０分加熱し、サウナ室４２にて９０分放熱した。
【００２４】
麦飯石をサウナ室４２に搬入した直後の各測定点における温度は、以下の通りである。測定点は図２の丸に囲まれた数字に対応している。温度は摂氏温度（℃）である。
測定点  天井温度      床面から１ｍの温度      床表面温度
Ａ        ７０．０      ５８．４                ５５．０
Ｂ        ５４．０      ５４．０                ４８．０
Ｃ        ５０．０      ５４．５                ４８．０
Ｄ        ４８．０      ５４．４                ３９．０
Ｅ        ５０．０      ５４．９                ３８．０
Ｆ        ５０．０      ５６．１                ３９．０
Ｇ        ７７．０      ６０．５                ６０．０
Ｈ        ５８．０      ５７．０                ４６．０
Ｉ        ５３．０      ５５．６                ４２．０
Ｊ        ５９．０      ５４．３                ４２．０
【００２５】
麦飯石をサウナ室４２に搬入しから４０分後の各測定点における温度は、以下の通りである。測定点は図２の丸に囲まれた数字に対応している。温度は摂氏温度（℃）である。
測定点  天井温度      床面から１ｍの温度      床表面温度
Ａ        ７５．０      ５４．２                ５５．０
Ｂ        ６０．０      ５３．４                ５０．０
Ｃ        ５８．０      ５３．１                ４７．０
Ｄ        ５６．０      ５３．０                ４２．０
Ｅ        ５７．０      ５２．７                ４４．０
Ｆ        ５５．０      ５３．０                ４２．０
Ｇ        ７１．０      ５５．４                ５３．０
Ｈ        ５９．０      ５４．３                ４７．０
Ｉ        ５６．０      ５３．４                ４５．０
Ｊ        ６０．０      ５２．８                ４４．０
【００２６】
麦飯石をサウナ室４２に搬入しから８０分後の各測定点における温度は、以下の通りである。測定点は図２の丸に囲まれた数字に対応している。温度は摂氏温度（℃）である。
測定点  天井温度      床面から１ｍの温度      床表面温度
Ａ        ７０．０      ５１．４                ５５．０
Ｂ        ６０．０      ５０．５                ５０．０
Ｃ        ５６．０      ５０．１                ４７．０
Ｄ        ５６．０      ４９．６                ４４．０
Ｅ        ５５．０      ５０．１                ４４．０
Ｆ        ５４．０      ５０．５                ３８．０
Ｇ        ６５．０      ５１．１                ４９．０
Ｈ        ５５．０      ５０．７                ４５．０
Ｉ        ５３．０      ５０．６                ４３．０
Ｊ        ５６．０      ４９．７                ４２．５
【００２７】
本発明によるサウナ用熱源供給装置は、このように、加熱された熱源と放熱した熱源とを交互に入れ換えることができるので、厳重な保温設備を必要とせずに、しかも予備の放熱器や熱放射装置等必要とせずに、サウナ室の温度を一定に維持することができる。
【００２８】
また、放射の終わった熱源の待避は台車を移動台によって平行移動することで行っているため、トラバーサ機構や台車の搬入、設置工事、点検作業等を簡単に行え、イニシャル及びランニングコストが低い。
【００２９】
さらに、遠赤外線を放射する麦飯石を熱源として使用しているので、少ないエネルギー消費で、サウナとしての効果を期待することができる。
【００３０】
なお、以上説明した実施例において、トラバーサ機構は、第一の可動レール１２と、この可動レール１２と平行に配置された第二の可動レール１３と、これらの可動レール１２，１３を担持し、かついずれかを択一的に固定レール１１に接続する移動台１４とからなっているが、このような構成のみに限定されず、設置環境に応じて、他の構成を採用することができる。例えば、第一の可動レール１２と第二の可動レール１３とを上下に配置し、エレベータによってこれらの可動レール１２，１３のいずれかを択一的に固定レール１１に接続するようしてもよく、また、固定レール１１を本線としたときに、転轍機によって切り換えられる側線を設けて、サウナ室４２からの台車２１を側線に待避させ、加熱炉３１からの台車２５を本線を通ってサウナ室４２に走行させた後、側線を本線に接続して、側線にある台車２１を加熱炉３１に向かって走行させたりする等してもよい。
【図面の簡単な説明】
【００３１】
【図１】本発明のサウナ用熱源供給装置の一実施例を示す斜視図。
【図２】図１の２−２線に沿う加熱炉の横断面図。
【図３】図１に示すサウナ用熱源供給装置を設置されたサウナの一例を示す説明図。
【符号の説明】
【００３２】
１１      ・・・固定レール
１２，１３・・・可動レール
１４      ・・・移動台
１５      ・・・台走行レール
２１，２５・・・台車
２２，２６・・・荷台
２３，２７・・・麦飯石
２４，２８・・・車輪
３１      ・・・加熱炉
３３      ・・・開閉扉
３４      ・・・耐火レンガ
３５      ・・・突出部
４１      ・・・炉室
４２      ・・・サウナ室
４３      ・・・冷気サウナ室
４４      ・・・休憩室
４５      ・・・凹部
４６      ・・・防護柵
【図１】
2006006621.tif 000003
【図２】
2006006621.tif 000004
【図３】
2006006621.tif 000005